(57)【特許請求の範囲】
【請求項１】
発泡樹脂ブロック本体に、複数の水溜部を略格子状に形成するとともに、各水溜部の少なくとも二側壁に縦溝を形成し、さらにこれら格子状の水溜部の一方面を一体的に覆う天井板を配設し、この天井板の外表面に排水溝を設けるとともに、この排水溝の底部から前記各水溜部内に貫通する小孔を複数個形成したことを特徴とする盛土用発泡樹脂ブロック。
【請求項２】
前記縦溝の一端は、前記天井板が配置されていない開口面側に開口しているとともに、前記縦溝の他端は前記天井板から所定距離離反して形成されていることを特徴とする請求項１に記載の盛土用発泡樹脂ブロック。
【請求項３】
前記発泡樹脂ブロック本体の最外側壁には、上下方向に延びる凹陥部が複数個形成されていることを特徴とする請求項１に記載の盛土用発泡樹脂ブロック。
【請求項４】
請求項１〜請求項３のいずれかに記載された２つの盛土用樹脂発泡体ブロックの開口面同士を合致させてなることを特徴とする盛土用ユニット。
【請求項５】
請求項１〜請求項３のいずれかに記載された盛土用ブロックを同一向きに積載してなることを特徴とする構築体。
【請求項６】
請求項４に記載された盛土用ユニットを複数個用意し、これらの盛土用ユニットを多段に重ね合わせてなることを特徴とする構築体。
【請求項７】
請求項４に記載された盛土用ユニットを水位が上昇する高さまで配置し、水位が高まった場合に、小孔あるいは縦溝を介して樹脂発泡体ブロックの水溜部内に水を取り込むとともに、水位が下がった場合に、小孔あるいは縦溝を介して水を外方に排出するようにしたことを特徴とする盛土用発泡樹脂ブロックを使用した盛土構築方法。
【発明の詳細な説明】
【０００１】
【発明の属する技術分野】
本発明は、特に水位の上昇する虞れのある箇所に使用して好適な、盛土用発泡樹脂ブロックおよびそれを用いた盛土用ユニット、および盛土用ユニットからなる構築体ならびに盛土構築方法に関する。
【０００２】
【従来の技術】
近年、軟弱地盤、急傾斜地盛土、構造物の裏込め、直立壁などで荷重軽減および土圧低減を図る場合は、土に代えて発泡合成樹脂からなるブロックを積み重ねていく工法が広く採用されている。
【０００３】
このような工法は、一般にＥＰＳ工法と称されているが、このような工法には、例えば、以下のような利点がある。
すなわち、
（１）発泡樹脂ブロックの単位体積重量は土砂の約１／１００であり、軟弱地盤上の盛土として適用する場合、盛土荷重を大幅に低減できるとともに、取扱いが容易であることから作業性が良好である。
【０００４】
（２）土と違って塑性領域に入っても一軸方向の圧縮力が卓越しており、明確なせん断領域が発生しないなど、耐圧縮性に優れている。
（３）自立性が良く、直立に積み上げた場合にも自立面が形成され、その上に荷重が作用した場合でも、側方への変形が極めて小さい。したがって、橋台や擁壁などの裏込材として利用した場合に、背面の土圧を大幅に低減することができる。
【０００５】
（４）独立気泡を内蔵した合成樹脂の発泡体であるため、通常の施工状態では、吸水による材料特性の変化がなく、耐水性に優れている。
（５）積み重ねには、大型建設機械が必要でなく、人力での施工が可能であるため、施工速度が早いとともに、傾斜地など大型機械の使用が難しい所での施工が容易である。
【０００６】
【発明が解決しようとする課題】
ところで、このような盛土用発泡樹脂ブロックであっても、軽量であるが故に、軟弱地盤などで用いると、水位の上昇、季節的な降雨、洪水などが生じた場合に、発泡樹脂体ブロックそのものが冠水してしまう虞れがあり、その場合、発泡スチロールのブロックに、非常に大きな浮力が作用してしまうという問題がある。
【０００７】
本発明は、このような問題に鑑み、例えば水位が上昇し易い箇所で使用する場合にも、浮き上がってしまう虞れがなく、ひいては、水が退いた場合の排水能力も優れた盛土用発泡樹脂ブロックおよびそれを用いた盛土用ユニット、および盛土用ユニットからなる構築体ならびに盛土構築方法を提供することを目的としている。
【０００８】
【課題を解決するための手段】
上記目的を達成するための本発明に係る盛土用発泡樹脂ブロックは、
発泡樹脂ブロック本体に、複数の水溜部を略格子状に形成するとともに、各水溜部の少なくとも二側壁に縦溝を形成し、さらにこれら格子状の水溜部の一方面を一体的に覆う天井板を配設し、この天井板の外表面に排水溝を設けるとともに、この排水溝の底部から前記各水溜部内に貫通する小孔を複数個形成したことを特徴としている。
【０００９】
また、本発明に係る盛土用発泡樹脂ブロックは、
前記縦溝の一端は、前記天井板が配置されていない開口面側に開口しているとともに、前記縦溝の他端は前記天井板から所定距離離反して形成されていることを特徴としている。
【００１０】
また、本発明に係る盛土用発泡樹脂ブロックは、
前記発泡樹脂ブロック本体の最外側壁には、上下方向に延びる凹陥部が複数個形成されていることを特徴としている。
【００１１】
また、本発明に係る盛土用ユニットは、上記いずれかの２つの盛土用樹脂発泡体ブロックの開口面同士を合致させたことを特徴としている。
このような盛土用発泡樹脂ブロックおよびそれを用いた盛土用ユニットによれば、上面、及び／又は下面から小孔、縦溝あるいは水溜部を介して水が浸入して水位が上昇した場合であっても、発泡樹脂ブロックの浮力が小さいので、発泡樹脂ブロック自体が浮き上がってしまうことが防止され、構造物への影響は少ない。また、水位が下がった場合には、水溜部内の水は、それらの小孔および縦溝を介して外方に排出されることになる。
【００１２】
また、本発明に係る盛土用ブロックを用いた構築体は、上記盛土用ブロックを同一向きに積載してなることを特徴としている。
また、本発明に係る盛土用発泡樹脂ブロックを用いた構築体は、上記盛土用ユニットを複数個用意し、これらの盛土用ユニットを多段に重ね合わせてなることを特徴としている。
【００１３】
このような構築体によれば、軟弱地盤等に土の代わりの盛土として、安定した状態で積載することができる。また、水溜部内への水の取り入れおよび排出を容易に行うことができる。また、盛土用ユニットの突き合わせ部に排出された水を、上記凹陥部を介して下方に案内することができる。
【００１４】
また、本発明に係る盛土構築方法は、
上記の盛土用発泡樹脂ブロックからなる構築体を水位が上昇する箇所に土の代わりに配置し、水位が高まった場合に、小孔あるいは縦溝を介して樹脂発泡体ブロックの水溜部内に水を取り込むとともに、水位が下がった場合に、小孔あるいは縦溝を介して水を外方に排出するようにしたことを特徴としている。
【００１５】
このような盛土構築方法によれば、土に代えて、軟弱地盤上の盛土、急傾斜地盛土、構造物の裏込め、直立壁などに適用した場合に、安定した状態で積載することができるとともに、水が上昇してきても、浮き上がったりしてしまうことがなく、また、排水が容易であり、土に代わる盛土として好適である。
【００１６】
【発明の実施の形態】
以下、図面を参照しながら本発明の実施例について説明する。
図１ないし図４は、本発明の一実施例による盛土用発泡樹脂ブロックを示したもので、図１は一部破断斜視図、図２は平面図、図３は底面図、図４は側断面図である。なお、この盛土用発泡樹脂ブロックは２つ一組にして用いるため、上下の区別はないが、便宜上、図１は裏返して見た時の斜視図とする。
【００１７】
この盛土用発泡樹脂ブロック１は、具体的には発泡ポリスチレン、発泡ポリウレタン、発泡ポリ塩化ビニルおよび発泡ポリオレフィンのように、合成樹脂を発泡することにより、一体的に成形される樹脂発泡体である。単位体積重量は、例えば、０．０３０〜０．１００ｔ／ｍ3 であり、実施例では、０．０５０ｔ／ｍ3 程度のものが使用されている。このような盛土用発泡樹脂ブロック１は、発泡体であるため、全体的に軽量で取扱い易く、また、その浮力を生かすことで軟弱地盤上であっても沈み込みが起こることはない。
【００１８】
盛土用発泡樹脂ブロック１のサイズは、特に制限はないが、例えば１０００×１０００×２５０ｍｍというようなサイズの大きい樹脂発泡体が作業能率上好ましい。
【００１９】
盛土用発泡樹脂ブロック１は、一方面が開口した発泡樹脂ブロック本体１ａを有し、他方面は、平板状の天井板５により覆われている。
また、発泡樹脂ブロック本体１ａには、全体に格子状の仕切壁４を設けることにより、荷重に対する強度を弱めることなく、しかもこれらの間に、水を貯留することが可能な複数の水溜部２を画成している。なお、実施例のように１６分割された水溜部２を設けた場合の仕切壁４の厚さは、約６０ｍｍ程度であり、また仕切壁４は、開口端から基端側に向かうほどその厚さは厚くなっている。これらの厚さは、荷重に耐えられるように水溜部２の大きさ等により、適宜な値に設定される。さらに、水溜部２の四側壁には、厚さ方向に縦溝３が形成されている。このような水溜部２に形成する縦溝３は、水の流れを考慮すると、四側壁全てに形成されることが好ましいが、二側壁であっても良い。また、二側壁に縦溝３を形成する場合、互いに対向する二側壁であることが好ましい。なお、この縦溝３は、一つの仕切壁４に２つ以上形成されていても良い。また、縦溝３の長さは、実施例では発泡樹脂ブロック本体１ａの高さの約半分程の長さであるが、水を周囲に流通することができれば、その長さに限定はなく、例えば１０ｍｍ程度のものであっても良く、要は、その一端３ａが、発泡樹脂ブロック本体１ａの開口面に開口しており、他端３ｂが、天井板５から離反していれば良い。
【００２０】
このように、水溜部２および縦溝３を設けた発泡樹脂ブロック本体１ａであっても、仕切壁４の基端側は、全てつながっており一体構造であるため、この上に大荷重が掛かった場合にも変形が少なく充分な耐力が発揮される。したがって、上部に土砂が埋め戻されれば、その上を車が通ることができる。
【００２１】
一方、天井板５の外表面には、図２に示されるように、例えば、くの字を放射状に拡開したような排水溝７が全面に形成されている。さらに、この排水溝７には、その底面から水溜部２に向かって延びる小孔８が貫通して形成されている。
【００２２】
なお、本実施例では、１つの水溜部２内に４つの小孔８が開口するように構成されているが、この小孔８の数も実施例に限定されない。なお、小孔８の大きさは、実施例では１０ｍｍの大きさを有している。
【００２３】
また、発泡樹脂ブロック本体１ａの最外壁には、縦溝３の周囲に凹陥部１１が上下方向に形成されている。この凹陥部１１を設けることにより、２つの発泡樹脂ブロック本体１ａを横方向に突き合わせた場合に、隣接するブロック本体間に間隙が形成されるようになっている。
【００２４】
本実施例に係る盛土用発泡樹脂ブロック１は、上記のように形成されているが、以下にその使用例について説明する。
この盛土用発泡樹脂ブロック１は、湖沼跡などの軟弱地盤を始めとし、水の多い箇所での盛土材として好適に使用することができる。更に、通常の道路盛土、地滑り地の盛土、拡幅盛土、急傾斜地拡幅盛土、水路基礎、仮説道路、埋設管基礎・保護など、種々の現場において、土に代えて使用することができる。その場合、図５に示したように、盛土用発泡樹脂ブロック１の開口面同士を互いに合致させて、１つのユニットとして使用することができる。
【００２５】
このように、２つの盛土用発泡樹脂ブロック１を互いの開口面同士を合致させることにより、内部に中空部を有する盛土用ユニット２０が構成される。
このような盛土用ユニット２０では、一対の盛土用発泡樹脂ブロック１間における互いの受面積が大きく、しかも、基部側は全て一体的につながっているため、荷重が加わっても変形が生じ難くなっている。
【００２６】
このような盛土用ユニット２０を一つの単位として、高さ方向および幅方向に重ね合わせていくことにより、所定の範囲に発泡樹脂ブロックを土の代わりに敷設することができる。このように並べると、各ユニット２０内には、所定間隔置きに格子状の仕切壁４が突き合わされるので、これらの仕切壁４がリブのような柱となって、荷重に対する圧縮強度を大きく維持することができる。
【００２７】
なお、上下方向に積載された各盛土用ユニット２０間では、いずれかの排水溝７は互いに連通しているが、小孔８同士は直線状に連通しているとは限らない。このような盛土用ユニット２０を上下左右方向に積載すると、雨などが降って上方から水が接近してきた場合には、例えば、外表面の排水溝７を介して水が流れるとともに、さらに小孔８を介して、あるいは周囲の縦溝３を介して水溜部２内に、それらの水を取り込むことができる。これにより、この発泡樹脂ブロック１の比重を高めることができ、浮力に対するカウンターとなって、水で冠水したときの浮力を極力抑えることができる。また、幾段にも重ねた場合に、上位の盛土用ユニット２０側から下方の盛土用ユニット２０側に水が流下するが、その場合も、２つのユニット間の排水溝７、７は、何れかの箇所で互いに連通しているので、これらの排水溝７を流れて、下方のユニット２０内の水溜部２内に取り込むことができる。また、縦溝３も天井板５に連通していないため、１つの盛土用ユニット２０に溜まった水分がそのまま外方に流れてしまうようなこともなく、天井板５の周囲に保持することができる。
【００２８】
また、横方向に並べられた発泡樹脂ブロック１、１間には、凹陥部１１が所定間隔置きに形成されているので、隣接するブロックの突き合わせ部に流れてくる水を、速やかに下方に流すことができる。したがって、横方向の突き合わせ部に水が滞留してしまうこともない。
【００２９】
したがって、本発明によれば、仮に盛土用発泡樹脂ブロック１が冠水したとしても、内部に取り込まれた水により、浮き上がりを防止することができる。また、水位が下がった場合には、水溜部２内に貯留された水を、縦溝３および小孔８あるいは凹陥部１１を介して上下方向あるいは横方向に速やかに排出することができる。
【００３０】
一方、上方からの水に代え、下方から地下水などが上昇してきた場合にも、盛土用ユニット２０を構成する下位の盛土用発泡樹脂ブロック１の小孔８あるいは周囲の縦溝３を介して、内部に水を取り込むことができる。その場合に、盛土用ユニット２０を構成する上位の発泡樹脂ブロック１の小孔８は空気孔として機能するので、水溜部２内部の空気を速やかに外方に逃がすことができる。これにより、水の侵入を速やかに行うことができる。
【００３１】
このように、本発明に係る盛土用発泡樹脂ブロックによれば、下方から水が上昇してくる軟弱地盤等に使用した場合にも、これらを簡単に積み重ねていくことができるとともに、浮力対策を行うことができる。
【００３２】
また、この盛土用発泡樹脂ブロックを使用した構築体として、様々な分野で使用することができるが、例えば、地滑り地の盛土、公園盛土、拡幅盛土、急傾斜地拡幅盛土、水路基礎、埋設管基礎、Ｕ字溝周辺の盛土、仮設道路、堤防背面の盛り上げ盛土など、様々な構築体に適用することができる。
【００３３】
このような本発明によれば、隣接する水溜部２同士を縦溝３で相互に連通するとともに、天井板５に排水溝７を設け、この排水溝７に小孔８を形成しているので、上方、下方あるいは側方のいずれの方向から水が近寄ってきて、水位が高さ２６の位置にあるとしても、図７に示したように、これらの水を速やかに内部に取り込むことができる。また、これとともに、周囲から水が退いた場合には、内部の水を上下方向あるいは横方向に速やかに排出することができる。
【００３４】
したがって、冠水した場合にも、発泡樹脂ブロック内に荷重がかかったままになることはない。
また、本実施例による盛土用ユニット２０では、上下の開口面がそれぞれ天井板５で閉塞されているので、敷設作業中に、この内部に工具などを落としてしまうこともなく、作業性は良好である。
【００３５】
以上、本発明の一実施例について説明したが、本発明は上記実施例に限定されない。
例えば、図５のＡで示すように、発泡樹脂ブロック本体１ａの開口端面には、２個の発泡樹脂ブロック本体で一対となるように組付けた際に、互いに嵌合することのできる凹凸嵌合部を形成しておば、両者の位置決めが容易となり好ましい。
【００３６】
このような凹凸嵌合部を開口端面の適宜箇所に適宜数設ければ、２つの発泡樹脂ブロックを組付けて盛土用ユニット２０を構成した場合に、位置決めが容易となり、組付けた状態で左右方向にずれたりすることがない。また、このような凹凸嵌合部は、どのような形状の嵌合であっても良い。
【００３７】
さらに、上記実施例における排水溝７の全体的な形状は、実施例に限定されない。排水溝７は外表面に集まった水を水溜部２内に導くことが可能であれば、他の形状であっても何ら構わない。さらに、上記のような発泡樹脂ブロックを盛土として使用する場合に、図６に示したように、冠水し易い下層部のみにこのような盛土用ユニット２０を配置し、冠水の虞れのない表層部においては、空間部のない密に構成された通常の発泡樹脂ブロック３１を敷並べることもできる。
【００３８】
このように２種類の発泡樹脂ブロックを上層と下層とに区分して敷き並べるとともに、周囲を土２２で埋設し、さらにその上部を採石２３やアスファルト２４で仕上げることができる。
【００３９】
このようにして、盛土用ユニット２０を何段か積載すれば、図７に示したように、上方から水分が押し寄せてきた場合であったも、また下方から水分が上昇してきた場合であっても、小孔８あるいは縦溝３を介して水溜部２内に周囲の水を速やかに取り入れることができ、また排水性も良好である。
【００４０】
また、以上の実施例では、樹脂発泡体ブロック１を開口面同士合致させて盛土用ユニット２０を構築しているが、これに代え、図８に示したように、例えば、軟弱な地盤１４の上にポリエチレンシート１５などを敷設し、その上部に複数の発泡樹脂ブロック１を同一の向きに多段に重ね合わせていくこともできる。このような構築体４０であっても、内部の水溜部２内に水を溜めることができ、また、その排水性も良好である。
【００４１】
また、上記実施例では、各水溜部２の四側壁にそれぞれ縦溝３を形成したが、図９に示したように、例えば８分割された水溜部２を有する盛土用発泡樹脂ブロック５０などの場合は、全ての側壁に縦溝３を形成しないで二側壁に縦溝３を形成すればよい。このように、水溜部２に形成する縦溝３の数は上記実施例に限定されず、少なくとも二側壁に形成されていれば良い。また、二側壁に限定する場合は、互いに対向する二側壁であることが好ましい。
【００４２】
このような縦溝３であっても、水溜部２内に、水を導入することができる。
【００４３】
【発明の効果】
以上、説明したように、本発明に係る盛土用発泡樹脂ブロックおよびそれを用いた盛土用ユニットによれば、上方向あるいは下方向からの水のより冠水した場合であっても、それらの水を発泡樹脂ブロック本体の内部に画成された水溜部内に、縦溝、排水溝および小孔を介して速やかに取り入れることができるので、浮力を極力小さくすることができる。一方、水の水位が下がった場合に、その水を上下左右方向に速やかに排出することができるので、盛土用ユニットが重くなることもない。また、天井板に形成された孔は、水を溜めたい場合に空気孔としても機能させることができる。
【００４４】
また、発泡樹脂ブロック本体の最外側壁に、凹陥部が形成されているので、横方向に隣接する発泡樹脂ブロック間に滞留する水を、速やかに下方に流すことができる。
【００４５】
さらに、本発明に係る盛土用ユニットによれば、水溜部を構成する格子状の側壁は、基部側が全てつながっており一体構造であるため、荷重に対する強度を充分保持することができる。
【００４６】
また、本発明に係る構築体によれば、荷重をかけたくない箇所などに、土の代わりに壁面等を構築することができ、軽量で、作業性が良好であるとともに、水が冠水したとしても、その浮力を極力抑えることができる。また、水が退いた場合に縦溝、小孔、排水溝、凹陥部を介して速やかに排水することができる。また、格子状に拡がる水溜部の側壁は、基部側がつながった一体構造であるので、充分な圧縮強度を有しており、したがってその構築体の上に車などを通らせることもできる。
【００４７】
また、本発明に係る盛土構築方法によれば、仕切壁が格子状に存在するので、荷重に対する圧縮強度を平均的に維持することができる。また、水の取り入れおよび排出を、上下方向あるいは横方向のいずれの方向からも行うことができる。
【００４８】
このように本発明に係る盛土構築方法によれば、浮力対策も充分兼ね備えているとともに、排水性も良好であるので、土に代わる盛土工法として軟弱地盤等に好ましく用いることができる。
【図面の簡単な説明】
【図１】図１は本発明の一実施例に係る盛土用樹脂発泡ブロックを一部破断して示す斜視図である。
【図２】図２は同発泡樹脂ブロックの平面図である。
【図３】図３は同発泡樹脂ブロックの底面図である。
【図４】図４は同発泡樹脂ブロックの断面図である。
【図５】図５は同発泡樹脂ブロックを２つ組み合わせた盛土用ユニットの断面図である。
【図６】図６は本発明に係る盛土構築方法により構築された盛土道路の破断斜視図である。
【図７】図７は本発明に係る盛土用ユニットの作用を示す断面図である。
【図８】図８は本発明に係る他の構築体を示した断面図である。
【図９】図９は本発明に係る他の実施例による盛土用発泡樹脂ブロックの底面図である。
【符号の説明】
１              盛土用発泡樹脂ブロック
１ａ            発泡樹脂ブロック本体
２              水溜部
３              縦溝
３ａ            一端部
３ｂ            他端部
７              排水溝
８              小孔
２０            盛土用ユニット
５０            盛土用発泡樹脂ブロック
【図１】
0003714653.tif 000002
【図２】
0003714653.tif 000003
【図３】
0003714653.tif 000004
【図４】
0003714653.tif 000005
【図５】
0003714653.tif 000006
【図６】
0003714653.tif 000007
【図７】
0003714653.tif 000008
【図８】
0003714653.tif 000009
【図９】
0003714653.tif 000010